(57)【特許請求の範囲】
【請求項１】
押鍵に伴って作動するジャックが当接することによって、当該ジャックの動作を規制するアップライトピアノのジャック動作規制装置であって、
前記ジャックの付近に設けられた基部と、
繰り返し荷重に対する寸法安定性を有する材料で構成され、前記基部に貼り付けられ、前記ジャックが直接的には当接しないベース層と、
耐摩耗性および柔軟性を有する材料で構成され、前記ベース層に貼り付けられ、前記ジャックが当接する表面層と、
を備えていることを特徴とするアップライトピアノのジャック動作規制装置。
【請求項２】
前記ベース層は、化学繊維で構成されていることを特徴とする請求項１に記載のアップライトピアノのジャック動作規制装置。
【請求項３】
前記表面層は、フッ素樹脂の繊維で構成されていることを特徴とする請求項１または２に記載のアップライトピアノのジャック動作規制装置。
【請求項４】
前記ジャック動作規制装置は、離鍵に伴って復帰回動する前記ジャックが当接することにより、離鍵状態における前記ジャックの静止位置を規定するバットであることを特徴とする請求項１ないし３のいずれかに記載のアップライトピアノのジャック動作規制装置。
【請求項５】
前記ジャック動作規制装置は、押鍵に伴って上昇する前記ジャックが当接することにより、当該ジャックを回動させ、レットオフを行わせるレギュレティングボタンであることを特徴とする請求項１ないし４のいずれかに記載のアップライトピアノのジャック動作規制装置。
【発明の詳細な説明】
【技術分野】
【０００１】
本発明は、ジャックが当接することによって、ジャックの動作を規制する、バットやレギュレティングボタンなどのアップライトピアノのジャック動作規制装置に関する。
【背景技術】
【０００２】
従来のアップライトピアノのバットやレギュレティングボタンとして、例えば特許文献１に開示されたものが知られている。バットは、ハンマー組立て品の一部として、ハンマーと一体に設けられており、合成樹脂の成形品で構成されている。バットの前面の下端部には、バットフェルトが設けられており、このバットフェルトは、通常、羊毛のフェルトで構成され、ブロック状に形成されている。レギュレティングボタンは、レギュレティングレールの下面に固定されており、円柱状の合成樹脂の成形品で構成されていて、その下面には皮革が貼り付けられている。
【０００３】
離鍵状態においては、ジャックは、ハンマー突上げ部によって、バットを含むハンマー組立て品を支持するとともに、バットフェルトの前面に斜めに当接しており、それにより、離鍵状態におけるジャックの静止位置が規定されている。また、レギュレティングボタンは、離鍵状態においては、ジャックの基部の上方に所定の間隔を存して位置している。
【０００４】
鍵が押鍵されると、鍵によってウィッペンが突き上げられ、ジャックは、ウィッペンと一緒に上方に移動し、ハンマー組立て品を突き上げる。その途中で、レギュレティングボタンの皮革にジャックの基部が当接することによって、ジャックの動作が規制される。それにより、ジャックは、その基部が皮革の表面を摺動しながらウィッペンに対して回動し、ハンマー突上げ部が、バットから前方に離脱し（レットオフ）、その直後にハンマーが弦を打弦することによって、ピアノ音が発生する。
【０００５】
鍵が離鍵されると、ジャックは、ウィッペンとともに下方に移動するのに伴い、ジャックスプリングによって押鍵時と逆方向に回動する。そして、ハンマー突上げ部が、復帰回動したバットのバットフェルトに当接することにより、ジャックの回動が規制される。ジャックがバットフェルトに当接したときの衝撃は、バットフェルトによって緩和され、それにより、雑音の発生が防止される。
【０００６】
しかし、上述したアップライトピアノでは、バットフェルトが天然繊維である羊毛で構成されているので、湿度の変化に応じて膨張または収縮しやすい。上述したように、離鍵状態におけるジャックの静止位置は、バットフェルトによって規定されるので、バットフェルトの厚さが変化すると、それに応じて、ジャックの静止位置が適正位置に対してずれてしまう。その結果、鍵のタッチ感やレットオフなどのタイミングが変化し、タッチコントロールに支障をきたすおそれがある。
【０００７】
また、バットフェルトには、復帰回動するジャックが押鍵ごとに強く当接するので、そのような当接が反復して行われることによって、バットフェルトの弾性が次第に失われ、圧縮変形した状態のまま復元しなくなってしまう。その場合には、ジャックの静止位置がバットの奥側にずれ、鍵のタッチ感などがやはり変化してしまう。さらに、ジャックは、基本的に回動動作を行うので、バットフェルトなどに当接した状態において、バットフェルトに対して摺動するような動作を行う。このため、バットフェルトが摩耗することによって、バットフェルトの厚さが変化し、上記のような不具合が同様に発生するおそれがある。
【０００８】
また、上記のような不具合を解消するために、バットフェルトを、レギュレティングボタンの皮革のような、より硬質の材料で構成することが考えられるが、その場合には、ジャックの衝突時に雑音が発生しやすく、演奏に支障をきたすおそれがある。
【０００９】
一方、レギュレティングボタンの下面には皮革が貼り付けられているので、押鍵時、特に鍵を強打し、ジャックがレギュレティングボタンに強く当接したときに、やはり雑音が発生するおそれがある。このような不具合を解消するために、皮革に代えてバットフェルトのようなフェルトを用いることが考えられる。しかし、その場合には、上述したように、フェルトが、湿度の変化に応じて伸縮したり、押鍵に伴ってジャックがレギュレティングボタンの表面を摺動することで摩耗したりすることによって、レギュレティングボタンの厚さが変化してしまう。その結果、ジャックのレギュレティングボタンに対する当接位置が適正位置に対してずれるので、レットオフのタイミングがやはり変化し、タッチコントロールに支障をきたすおそれがある。
【００１０】
本発明は、上記のような課題を解決するためになされたものであり、単純な構成で、ジャックの動作の規制位置を一定に維持することにより、ジャックの所要の動作を安定して確保することができるアップライトピアノのジャック動作規制装置を提供することを目的としている。
【００１１】
【特許文献１】特開平５−３２３９５３号公報
【発明の開示】
【課題を解決するための手段】
【００１２】
上記の目的を達成するために、本発明の請求項１に係る発明は、押鍵に伴って作動するジャックが当接することによって、ジャックの動作を規制するアップライトピアノのジャック動作規制装置であって、ジャックの付近に設けられた基部と、繰り返し荷重に対する寸法安定性を有する材料で構成され、基部に貼り付けられ、ジャックが直接的には当接しないベース層と、耐磨耗性および柔軟性を有する材料で構成され、ベース層に貼り付けられ、ジャックが当接する表面層と、を備えていることを特徴とする。
【００１３】
このアップライトピアノのジャック動作規制装置は、基部と、この基部に順に貼り付けられたベース層および表面層を有している。ベース層は、ジャックが直接的には当接せず、繰り返し荷重に対する寸法安定性を有している。また、表面層は耐摩耗性および柔軟性を有していて、押鍵に伴い、ジャックが表面層に当接することによって、ジャックの動作が規制される。
【００１４】
この構成によれば、ベース層が繰り返し荷重に対する寸法安定性を有しているので、ジャックが表面層に当接することで、表面層を介して荷重がベース層に繰り返し作用した場合にも、ベース層の厚さはほとんど変化しない。また、表面層が耐摩耗性を有しているので、ジャックが摺動することによる表面層の摩耗も抑制される。以上により、ベース層および表面層の全体の厚さがほぼ一定に保たれるので、これらによって定められるジャックの動作の規制位置をほぼ一定に維持でき、それにより、ジャックの所要の動作を安定して確保することができる。
【００１５】
また、表面層が柔軟性を有していることにより、ジャックが当接したときの衝撃が緩和されるとともに、雑音の発生を防止することができる。以上のように、ベース層に表面層を貼り付けただけの単純な構成により、従来のような単一の材料で構成した場合と異なり、ジャック規制装置に要求される様々な機能を実現することができる。
【００１６】
請求項２に係る発明は、請求項１に記載のアップライトピアノのジャック動作規制装置において、ベース層は、化学繊維で構成されていることを特徴とする。
【００１７】
この構成によれば、ベース層が化学繊維で構成されているので、湿度の変化に伴うベース層の厚さの変化量を非常に小さくすることができ、上述した請求項１に係る発明による効果を確実に得ることができる。
【００１８】
請求項３に係る発明は、請求項１または２に記載のアップライトピアノのジャック動作規制装置において、表面層は、フッ素樹脂の繊維で構成されていることを特徴とする。
【００１９】
この構成によれば、表面層は、フッ素樹脂の繊維で構成されることにより、柔軟性および耐摩耗性を有する。したがって、上述した請求項１に係る発明による効果を、良好に得ることができる。また、フッ素樹脂の繊維は、高い滑性も有しているので、ジャックは、表面層に当接した後、それに沿ってスムーズに摺動できるとともに、摺動による表面層の磨耗をさらに抑制することができる。また、フッ素樹脂は比較的高価であるので、表面層にのみフッ素樹脂の繊維を用いることにより、製造コストを抑制することができる。
【００２０】
請求項４に係る発明は、請求項１ないし３のいずれかに記載のアップライトピアノのジャック動作規制装置において、ジャック動作規制装置は、離鍵に伴って復帰回動するジャックが当接することにより、離鍵状態におけるジャックの静止位置を規定するバットであることを特徴とする。
【００２１】
この構成によれば、ジャック動作規制装置はバットであり、従来のバットフェルトに相当する部分を、ベース層および表面層で構成することによって、離鍵状態におけるジャックの静止位置をほぼ一定に維持でき、したがって、安定した鍵のタッチ感およびレットオフのタイミングを得ることができる。
【００２２】
請求項５に係る発明は、請求項１ないし４のいずれかに記載のアップライトピアノのジャック動作規制装置において、ジャック動作規制装置は、押鍵に伴って上昇するジャックが当接することにより、ジャックを回動させ、レットオフを行わせるレギュレティングボタンであることを特徴とする。
【００２３】
この構成によれば、ジャック動作規制装置はレギュレティングボタンであることにより、押鍵時におけるジャックの当接位置をほぼ一定に維持でき、したがって、安定したレットオフのタイミングを得ることができる。
【発明を実施するための最良の形態】
【００２４】
以下、本発明の好ましい実施形態を、図面を参照しながら詳細に説明する。図１は、本発明を適用したアップライトピアノのアクション１、鍵盤２およびハンマー３などを、離鍵状態において示している。なお、以下の説明では、演奏者側から見たときのアップライトピアノの手前側を「前」、奥側を「後」として説明する。
【００２５】
鍵盤２は、アップライトピアノの左右方向に並んだ多数の鍵２ａ（１つのみ図示）によって構成されている。また、各鍵２ａは、前後方向（図１の左右方向）に延び、その中央において、棚板（図示せず）上の筬５に立設されたバランスピン５ａに回動自在に支持されている。また、筬５の後方には、バックレール６が設けられており、各鍵２ａの後端部は、このバックレール６に載置されている。
【００２６】
棚板の左右の端部には、アクションブラケット（図示せず）がそれぞれ設けられている。アクション１は、鍵盤２の後端部の上方に配置され、両アクションブラケットの間に設けられている。アクション１は、ウィッペン１１、ジャック１３およびバット１５（ジャック動作規制装置）などを有しており、これらは、鍵２ａごとに設けられている（いずれも１つのみ図示）。
【００２７】
左右のアクションブラケットの間には、センターレール２９およびハンマーレール３０などが渡されており、このセンターレール２９に、ウィッペンフレンジ１２およびバットフレンジ１７が、鍵２ａごとにねじ止めされている（ともに１つのみ図示）。ウィッペン１１は、後端部において、ウィッペンフレンジ１２に回動自在に支持されている。また、バット１５は、ハンマー３などとともにハンマー組立て品４を一体に構成しており、その下端部において、バットフレンジ１７にセンターピン１５ｄを介して回動自在に支持されている。
【００２８】
ウィッペン１１は、例えば合成樹脂によって所定の形状に形成され、その前部から下方に突出するヒール部１１ａを有しており、対応する鍵２ａの後端部に設けたキャプスタンボタン２ｂに、ヒール部１１ａを介して載置されている。また、ウィッペン１１の上面前端部には、バックチェックワイヤ１８ａが立設されており、その先端部にバックチェック１８が取り付けられている。また、ウィッペン１１の上面の後端部には、後述するダンパー２５を駆動するためのスプーン１９が立設されている。また、このスプーン１９のすぐ前方には、前述したウィッペンフレンジ１２が配置されており、このウィッペンフレンジ１２は、その上部においてセンターレール２９に固定されている。
【００２９】
ジャック１３は、例えばＡＢＳ樹脂によって構成されており、前後方向に延びる基部１３ａと、基部１３ａの後端部から上方に延びるハンマー突上げ部１３ｂを有している。ジャック１３は、その基部１３ａとハンマー突上げ部１３ｂとの角部において、ウィッペン１１のバックチェックワイヤ１８ａよりも後方の位置に、ピン状の支点１３ｃを介して回動自在に支持されている。また、基部１３ａとウィッペン１１の間には、コイルばねで構成されたジャックスプリング１４が設けられている。
【００３０】
また、センターレール２９には、前方に延びる複数のレギュレティングブラケット２１（１つのみ図示）が設けられており、その前端部には、左右方向に延びるレギュレティングレール２２が取り付けられている。このレギュレティングレール２２には、レギュレティングスクリュー２２ａが、鍵２ａごとに上方からねじ込まれ、下方に突出しており（１つのみ図示）、各レギュレティングスクリュー２２ａの下端部には、レギュレティングボタン２０（ジャック動作規制装置）が固定されている。
【００３１】
図２に示すように、レギュレティングボタン２０は、上側から順に、基部２０ａ、ベース層２０ｂ、および表面層２０ｃを有している。基部２０ａは、合成樹脂、例えばＡＢＳ樹脂の成形品で構成され、円柱状に形成されており、レギュレティングスクリュー２２ａに固定されている。ベース層２０ｂは、寸法安定性を有する材料、例えば、レーヨンなどの高密度の化学繊維で構成され、基部２０ａの下面に、例えば両面テープで貼り付けられている。また、表面層２０ｃは、柔軟性、耐摩耗性および滑性を有する材料、例えばフッ素樹脂の繊維で構成され、ベース層２０ｂよりも薄く形成されており、ニードルパンチングで両者２０ｂ，２０ｃの繊維を互いに絡めることにより、ベース層２０ｂに接合されている。
【００３２】
また、バット１５は、バット本体１５ａ（基部）と、これに貼り付けられたバットスキン１５ｂおよびバットフェルト１６などを有している。バット本体１５ａは、例えばＡＢＳ樹脂で構成され、所定の形状に形成されている。バット本体１５ａの後面の下端部には、金属プレート１５ｃがねじ止めされており、両者１５ａ，１５ｃの間には、バットフレンジ１７の上部に通されたセンターピン１５ｄが挟み付けられている。これにより、ハンマー組立て品４は、センターピン１５ｄを中心として回動自在になっている。また、バット本体１５ａとバットフレンジ１７の間には、バットスプリング１５ｇが設けられており、それにより、ハンマー組立て品４は、図１の時計方向に付勢されている。
【００３３】
図３に示すように、バット本体１５ａの前面の下部には、バットフェルト１６が貼り付けられている。このバットフェルト１６は、全体としてブロック状に形成されており、ベース層１６ａおよび表面層１６ｂを有している。ベース層１６ａは、レギュレティングボタン２０のベース層２０ｂと同様、寸法安定性を有する化学繊維、例えばレーヨンの高密度の繊維で構成されている。また、ベース層１６ａは、所定の厚さを有し、例えば両面テープでバット本体１５ａに貼り付けられている。表面層１６ｂもまた、レギュレティングボタン２０の表面層２０ｃと同様、柔軟性、耐摩耗性および滑性を有する材料、例えばフッ素樹脂の繊維で構成されており、ベース層１６ａよりも薄く形成されている。この表面層１６ｂは、ニードルパンチングで両者１６ａ，１６ｂの繊維を互いに絡めることにより、ベース層１６ａに接合されている。
【００３４】
また、バット本体１５ａには、バットフェルト１６の上側に隣接して、アンダーフェルト１５ｅおよびアンダークロス１５ｆが、前後方向に並ぶように貼り付けられている。バットスキン１５ｂは、両者１５ｅ，１５ｆを覆うように、バット本体１５ａに貼り付けられている。
【００３５】
また、バット１５には、キャッチャーシャンク２３ａが設けられている。このキャッチャーシャンク２３ａは、バット本体１５ａから前方に延び、その前端部にはキャッチャー２３が設けられており、前方のバックチェック１８に対向している。
【００３６】
ハンマー３もまた、鍵２ａごとに設けられている（１つのみ図示）。ハンマー３は、バット１５の上面に立設され、上方に延びるハンマーシャンク３ａ、およびその上端部に設けられたハンマーヘッド３ｂを有しており、ハンマーヘッド３ｂは、後方に張られた弦Ｓに対向している。また、センターレール２９の後方には、ダンパー２５が、鍵２ａごとにダンパーフレンジ２８に回動自在に取り付けられている。
【００３７】
以上の構成により、離鍵状態では、図３に示すように、ジャック１３のハンマー突上げ部１３ｂの上端部が、バット１５のバットスキン１５ｂに係合するとともに、バットフェルト１６の前面に、これに対して傾いた状態で当接している。このように、ジャック１３は、バットフェルト１６によって規定された静止位置において、ハンマー組立て品４を支持している。また、図２に示すように、ジャック１３の基部１３ａは、レギュレティングボタン２０との間に所定の間隙を存し、その下方に位置している。
【００３８】
以下、上述したアップライトピアノの押鍵の開始から終了までの一連の動作について、説明する。演奏者により、図１に示す離鍵状態から鍵２ａが押鍵されると、鍵２ａは、バランスピン５ａを中心として同図の時計方向に回動し、その後端部に載置されたウィッペン１１は、鍵２ａによって突き上げられることにより、上方（反時計方向）に回動する。このウィッペン１１の回動に伴い、ウィッペン１１に設けられたジャック１３などが一緒に上方に移動し、ハンマー組立て品４は、バット１５を介してジャック１３のハンマー突上げ部１３ｂで突き上げられることにより、後方の弦Ｓに向かって反時計方向に回動する。
【００３９】
鍵２ａがさらに回動すると、ジャック１３の基部１３ａの前端部が、レギュレティングボタン２０に下方から当接する。これにより、ジャック１３は、レギュレティングボタン２０により上方への移動が阻止されることによって、基部１３ａが表面層２０ｃ上を摺動しながら、ウィッペン１１に対して時計方向に回動する。
【００４０】
そして、鍵２ａが、さらに回動したときに、ハンマー突上げ部１３ｂがバット１５から前方に外れ、ジャック１３がハンマー組立て品４から離脱する（レットオフ）。その際、鍵２ａのタッチ重さからハンマー組立て品４の重量分が失われ、タッチ重さが急激に減少することによって、演奏者にレットオフ感が付与される。
【００４１】
ハンマー組立て品４は、ジャック１３が離脱した後も慣性によって回動し、ハンマー３が弦Ｓを打弦し、振動させることによって、ピアノ音を発生させる。そして、ハンマー組立て品４は、弦Ｓの反発力によって、時計方向へ復帰回動する。
【００４２】
押鍵が終了し、鍵２ａが離鍵されるのに伴い、鍵２ａおよびアクション１などは、押鍵時と逆方向に復帰回動する。具体的には、ウィッペン１１が復帰回動するのに伴い、ジャック１３は、ウィッペン１１とともに下方に移動する。その際、ジャック１３は、ジャックスプリング１４の付勢力によって、反時計方向に復帰回動し、それに伴い、基部１３ａはレギュレティングボタン２０の表面層２０ｃ上を摺動する。
【００４３】
一方、ハンマー組立て品４は、バットスプリング１５ｇの付勢力によって時計方向に復帰回動する。その途中で、復帰回動中のジャック１３のハンマー突上げ部１３ｂが、バット１５の下側に入り込み、バットフェルト１６の表面層１６ｂに当接することによって、ジャック１３の復帰回動が規制される。この当接の際の衝撃は、表面層１６ｂが柔軟性を有していることにより吸収され、衝突音はほとんど発生しない。
【００４４】
さらに離鍵が進むと、ジャック１３はさらに下方に移動する。それにより、ハンマー突上げ部１３ｂが、復帰回動中のハンマー組立て品４のバットフェルト１６の表面層１６ｂ上を相対的に摺動し、また、基部１３ａがレギュレティングボタン２０から離れることによって、ジャック１３は、最終的に静止位置に復帰する。それにより、ハンマー組立て品４は、ジャック１３によって支持された状態に復帰する。
【００４５】
以上のように、本実施形態によれば、バットフェルト１６のベース層１６ａが、レーヨンの高密度の繊維で構成され、寸法安定性を有しているので、離鍵時に、ジャック１３から表面層１６ｂを介して荷重が繰り返し作用した場合にも、ベース層１６ａの厚さはほとんど変化しない。また、表面層１６ｂがフッ素樹脂の繊維で構成され、耐摩耗性および滑性を有しているので、ジャック１３のバット突上げ部１３ｂが摺動することによる表面層１６ｂの摩耗も抑制される。また、ベース層１６ａおよび表面層１６ｂの双方が、化学繊維で構成されているので、周囲の湿度が変化した場合でも、それらの厚さはほとんど変化しない。以上により、ジャック１３からの反復荷重や湿度の変化に対して、バットフェルト１６の全体の厚さがほぼ一定に保たれ、ジャック１３の静止位置をほぼ一定に維持でき、したがって、安定した鍵２ａのタッチ感およびレットオフのタイミングを得ることができる。
【００４６】
また、表面層１６ｂは、フッ素樹脂の繊維で構成され、柔軟性を有しているので、離鍵時に、ジャック１３が当接したときの衝撃が緩和されるとともに、雑音の発生を防止することができる。
【００４７】
また、レギュレティングボタン２０は、バットフェルト１６と基本的に同じ構成を有しているので、バットフェルト１６による上述した効果を同様に得ることができる。すなわち、レギュレティングボタン２０のベース層２０ｂもまた、レーヨンの高密度の繊維で構成されているので、押鍵時にジャック１３から表面層２０ｃを介して荷重が繰り返し作用した場合にも、ベース層２０ｂの厚さがほとんど変化しない。表面層２０ｃもまた、フッ素樹脂の繊維で構成されているので、ジャック１３が摺動することによる表面層２０ｃの摩耗も抑制される。また、ベース層２０ｂおよび表面層２０ｃの双方が、化学繊維で構成されているので、湿度の変化に対し、それらの厚さはほとんど変化しない。以上により、ジャック１３からの反復荷重や湿度の変化に対して、レギュレティングボタン２０の全体の厚さがほぼ一定に保たれ、押鍵時のジャック１３の当接位置をほぼ一定に維持でき、したがって、安定したレットオフのタイミングを得ることができる。
【００４８】
以上のように、ベース層１６ａ，２０ｂに表面層１６ｂ，２０ｃをそれぞれ貼り付けただけの単純な構成により、従来のような単一の材料で構成した場合と異なり、バット１５およびレギュレティングボタン２０に要求される様々な機能を実現でき、ジャック１３の所要の動作を安定して確保することができる。また、フッ素樹脂は比較的高価であるので、表面層１６ｂ，２０ｃにのみフッ素樹脂の繊維を用いることにより、製造コストを抑制することができる。
【００４９】
なお、本発明は、上述した実施形態に限定されることなく、種々の態様で実施することができる。例えば、実施形態では、バットフェルト１６のベース層１６ａおよびレギュレティングボタン２０のベース層２０ｂとして、レーヨンの高密度の繊維を用いているが、これに限定されることなく、湿度変化や反復荷重に対して寸法安定性を有する任意の材料を採用することができる。例えば、レギュレティングボタン２０のベース層２０ｂとして、他の化学繊維や、化学繊維と羊毛とを縮絨したフェルトや、人工スキンなどを用いてもよい。これらの材料は、比較的硬いので、ジャック１３がレギュレティングボタン２０に当接したときのベース層２０ｂの変形量を抑制でき、それにより、レットオフのタイミングをさらに安定させることができる。
【００５０】
バットフェルト１６の場合には、レギュレティングボタン２０と異なり、ジャック１３に当接したときの瞬時の変形は問題にならず、ジャック１３が静止している状態において厚さが安定していればよい。このため、バットフェルト１６のベース層１６ａとして、レーヨンの高密度の繊維に代えて、より高い柔軟性を有する材料を用いてもよい。それにより、ベース層１６ａによって、ジャック１３が当接したときの衝撃をさらに緩和するとともに、雑音の発生をより効果的に抑制することができる。
【００５１】
また、実施形態では、バットフェルト１６のベース層１６ａおよび表面層１６ｂと、レギュレティングボタン２０のベース層２０ｂおよび表面層２０ｃを、それぞれ互いに同じ材料で構成したが、これに限定されることなく、それぞれに要求される特性に合わせ、互いに異なる材料で構成してもよい。その他、細部の構成を、本発明の趣旨の範囲内で適宜、変更することが可能である。
【図面の簡単な説明】
【００５２】
【図１】本発明によるジャック動作規制装置を適用したアップライトピアノの鍵盤、アクションおよびハンマーなどを、離鍵状態において示す側面図である。
【図２】図１のアクションのジャック、およびレギュレティングボタンなどを示す部分拡大側面図である。
【図３】図１のハンマー組み立て品のバットおよびその付近を示す部分拡大側面図である。
【符号の説明】
【００５３】
２ａ  鍵
１５    バット（ジャック動作規制装置）
１５ａ  バット本体（基部）
１６ａ  ベース層
１６ｂ  表面層
２０    レギュレティングボタン（ジャック動作規制装置）
２０ａ  基部
２０ｂ  ベース層
２０ｃ  表面層
【図１】
0005281734.tif 000002
【図２】
0005281734.tif 000003
【図３】
0005281734.tif 000004